(57)【要約】【課題】排紙トレイを可動して用紙丸まりが回避可能な排紙角度とする排紙装置と比較して、排紙トレイと他の構成体との干渉を避けるための十分な空間が不要となり、狭いスペースでも設けることができ、しかも、用紙サイズを含めた様々な紙種における用紙丸まりが回避可能な排紙装置を提供すること。【解決手段】基部を装置機枠１に軸支させ先部を排紙方向へ延出させて、先部を用紙の搬送路９と直交方向に揺動可能に設けた排紙ガイド板１７と、その排紙ガイド板１７の先部または中途部に基部を軸支させ先部に従動ローラ１９を軸支させた従動ローラ支持杆１８と、排紙ガイド板１７を揺動させ、従動ローラ支持杆１８を介して従動ローラ１９を駆動ローラ２０の外周面に沿って移動させて、用紙の丸まりが回避可能な排紙角度となるように、駆動ローラ２０に従動ローラ１９を従動回転可能に当接させて形成される排紙ニップの傾きを制御させる排紙角度制御部を備える。【選択図】図２
2010275098.tif 000002
【特許請求の範囲】
【請求項１】
駆動ローラに従動ローラを従動回転可能に当接させて形成された排紙ニップに用紙を通して排紙トレイに前記用紙を排出させる排紙装置であって、
基部を装置機枠に軸支させ先部を排紙方向へ延出させて、該先部を前記用紙の搬送路と直交方向に揺動可能に設けた第１のリンクと、
該第１のリンクの前記先部または中途部に基部を軸支させ先部に前記従動ローラを軸支させた第２のリンクと、
前記第１のリンクを揺動させ、前記第２のリンクを介して前記従動ローラを前記駆動ローラの外周面に沿って移動させて、前記用紙の丸まりが回避可能な排紙角度となるように前記排紙ニップの傾きを制御させる排紙角度制御部と
を備えたことを特徴とする排紙装置。
【請求項２】
前記排紙トレイは、用紙を積載させる積載面がフラット状と略への字状とに変位可能に、前記積載面の基部側が前記積載面の中途部を回動中心に上下方向揺動可能に構成されると共に、前記積載面が上向き傾斜するように設けられ、
前記排紙角度制御部は、前記排紙角度が、前記積載面の基部側の傾斜角度と略同じ角度または同一角度となるように制御することを特徴とする請求項１に記載の排紙装置。
【請求項３】
前記排紙トレイは、用紙積載枚数が所定の枚数未満の際に前記積載面をフラット状に変位されると共に、用紙積載枚数が所定の枚数以上の際に前記積載面を略への字状に変位され、
前記排紙角度制御部は、前記排紙トレイへ積載された前記用紙の排出枚数のカウントに基づいて前記排紙ニップの傾きを可変させることを特徴とする請求項２に記載の排紙装置。
【請求項４】
前記排紙トレイの傾斜角度、または、前記排紙トレイに積載された用紙の傾斜角度を検知する傾斜角度検知手段を備え、
前記排紙角度制御部は、前記傾斜角度検知手段で検知された傾斜角度に基づいて前記排紙ニップの傾きを可変させることを特徴とする請求項１または２に記載の排紙装置。
【請求項５】
前記傾斜角度検知手段は、
前記第１のリンクに設けられ前記排紙トレイへ積載された前記用紙までの距離を検知する距離検知センサを備え、前記第１のリンクを所定角度揺動させて前記距離検知センサから検知された複数の距離データから前記傾斜角度を算出することを特徴とする請求項４に記載の排紙装置。
【請求項６】
前記距離検知センサは、前記排紙トレイに積載された前記用紙の満杯検知用センサ、及び、積載不良検知センサと兼用させたことを特徴とする請求項５に記載の排紙装置。
【請求項７】
前記第１のリンクは、前記用紙が通る搬送路の一部を形成する排紙ガイド板と兼用させたことを特徴とする請求項１乃至６の何れか１項に記載の排紙装置。
【請求項８】
前記従動ローラは、該従動ローラの自重で前記駆動ローラに当接されるように設けられていることを特徴とする請求項１乃至７の何れか１項に記載の排紙装置。
【請求項９】
請求項１乃至８の何れか１項に記載の排紙装置と、
前記用紙にスティプル処理させるスティプラ部と
を備えたことを特徴とする用紙後処理装置。
【請求項１０】
請求項１乃至８の何れか１項に記載の排紙装置と、
前記用紙に前記画像を形成させる画像形成手段と
を備えたことを特徴とする画像形成装置。
【請求項１１】
請求項９に記載の用紙後処理装置と、
前記用紙に前記画像を形成させる画像形成手段と
を備えたことを特徴とする画像形成装置。
【発明の詳細な説明】
【技術分野】
【０００１】
本発明は、複写機、プリンタ、ファクシミリ等の用紙に画像を形成させる画像形成装置や、画像形成された用紙をスティプル等の後処理を行う用紙後処理装置における排紙装置に関する。
【背景技術】
【０００２】
画像形成装置や用紙後処理装置における排紙装置は、駆動ローラに従動ローラを従動回転可能に当接させて形成された排紙ニップに、画像形成済みの用紙を通して、排紙ニップより下方に設けられた排紙トレイに用紙を排出させるようになっている。
この排紙装置は、用紙が排紙トレイに排出された際に、用紙が丸まってしまうという問題点があった。この用紙の丸まりは、排紙トレイや、その排紙トレイに積載されている用紙束へ用紙先端が当接するときの角度が、直角に近づくにつれ発生しやすくなることが知られている。
そこで、かかる問題を解決するものとして、従来、以下のものが提案されている。
排紙トレイの傾斜角度を可変可能に構成して、排紙トレイまたは排紙トレイに積載されている用紙束と、排出される用紙先端との角度が、用紙が丸まらない角度に制御するものがある（例えば特許文献１参照）。
用紙を積載させる積載面が上向き傾斜するように排紙トレイを設けると共に、その積載面の中途部に略水平面を設け、その略水平面にかかる部分に用紙の先端を当接させることで、用紙が丸まらないようにしたものがある（例えば特許文献２参照）。
【発明の概要】
【発明が解決しようとする課題】
【０００３】
しかしながら前者の技術的手段は、用紙の丸まりを解決する点においては好適ではあるもの、排紙トレイ全体を動作させることから、他の構成体との干渉を避けるために十分な空間が必要であった。
後者の技術的手段は、略水平面の位置が不変であることから、サイズの異なる用紙に対応できない。なお、略水平面の位置を可変させることは技術的に困難である。
本発明は、このような状況に鑑みてなされたものであり、上記問題点を解決できる排紙装置、用紙後処理装置、画像形成装置を提供することを課題とする。
【課題を解決するための手段】
【０００４】
上記課題を解決するために、本発明は、下記の技術的手段を講じた。
請求項１にかかる発明は、駆動ローラに従動ローラを従動回転可能に当接させて形成された排紙ニップに用紙を通して排紙トレイに前記用紙を排出させる排紙装置であって、基部を装置機枠に軸支させ先部を排紙方向へ延出させて、該先部を前記用紙の搬送路と直交方向に揺動可能に設けた第１のリンクと、該第１のリンクの前記先部または中途部に基部を軸支させ先部に前記従動ローラを軸支させた第２のリンクと、前記第１のリンクを揺動させ、前記第２のリンクを介して前記従動ローラを前記駆動ローラの外周面に沿って移動させて、前記用紙の丸まりが回避可能な排紙角度となるように前記排紙ニップの傾きを制御させる排紙角度制御部とを備えたことを特徴とする。
請求項２にかかる発明は、請求項１において、前記排紙トレイは、用紙を積載させる積載面がフラット状と略への字状とに変位可能に、前記積載面の基部側が前記積載面の中途部を回動中心に上下方向揺動可能に構成されると共に、前記積載面が上向き傾斜するように設けられ、前記排紙角度制御部は、前記排紙角度が、前記積載面の基部側の傾斜角度と略同じ角度または同一角度となるように制御することを特徴とする。
請求項３にかかる発明は、請求項２において、前記排紙トレイは、用紙積載枚数が所定の枚数未満の際に前記積載面をフラット状に変位されると共に、用紙積載枚数が所定の枚数以上の際に前記積載面を略への字状に変位され、前記排紙角度制御部は、前記排紙トレイへ積載された前記用紙の排出枚数のカウントに基づいて前記排紙ニップの傾きを可変させることを特徴とする。
【０００５】
請求項４にかかる発明は、請求項１または２において、前記排紙トレイの傾斜角度、または、前記排紙トレイに積載された用紙の傾斜角度を検知する傾斜角度検知手段を備え、前記排紙角度制御部は、前記傾斜角度検知手段で検知された傾斜角度に基づいて前記排紙ニップの傾きを可変させることを特徴とする。
請求項５にかかる発明は、請求項４において、前記傾斜角度検知手段は、前記第１のリンクに設けられ前記排紙トレイへ積載された前記用紙までの距離を検知する距離検知センサを備え、前記第１のリンクを所定角度揺動させて前記距離検知センサから検知された複数の距離データから前記傾斜角度を算出することを特徴とする。
請求項６にかかる発明は、請求項５において、前記距離検知センサは、前記排紙トレイに積載された前記用紙の満杯検知用センサ、及び、積載不良検知センサと兼用させたことを特徴とする。
【０００６】
請求項７にかかる発明は、請求項１乃至６の何れか１項において、前記第１のリンクは、前記用紙が通る搬送路の一部を形成する排紙ガイド板と兼用させたことを特徴とする。
請求項８にかかる発明は、請求項１乃至７の何れか１項において、前記従動ローラは、該従動ローラの自重で前記駆動ローラに当接されるように設けられていることを特徴とする。
請求項９にかかる発明は、請求項１乃至８の何れか１項に記載の排紙装置と、前記用紙にスティプル処理させるスティプラ部とを備えた用紙後処理装置を特徴とする。
請求項１０にかかる発明は、請求項１乃至８の何れか１項に記載の排紙装置と、前記用紙に前記画像を形成させる画像形成手段とを備えた画像形成装置を特徴とする。
請求項１１にかかる発明は、請求項９に記載の用紙後処理装置と、前記用紙に前記画像を形成させる画像形成手段とを備えた画像形成装置を特徴とする。
【発明の効果】
【０００７】
本発明によれば、駆動ローラに従動回転可能に当接する従動ローラを、用紙の搬送路と直交方向に揺動可能に設けた第１のリンクに軸支した第２のリンクに軸支して、第１のリンクを揺動することで、従動ローラが駆動ローラの外周面に沿って移動し、用紙の丸まりが回避可能な排紙角度（排紙ニップから排出される際の用紙の仰俯角のことをいう）を形成可能にしたから、排紙トレイを可動して用紙丸まりが回避可能な排紙角度とする技術手段と比較して、排紙トレイと他の構成体との干渉を避けるための十分な空間が不要となり、狭いスペースでも設けることができる。また、排紙角度が連続して可変可能であることから、用紙サイズを含めた様々な紙種に対応できる。
【図面の簡単な説明】
【０００８】
【図１】本実施の形態にかかる画像形成装置の概略を示した正面図である。
【図２】図１の用紙後処理装置にかかる部分拡大図である。
【図３】図２に続く動作を示した用紙後処理装置の部分拡大図である。
【図４】スティプル処理時の用紙後処理装置の部分拡大図である。
【図５】従動ローラの動作を示した模式図である。
【発明を実施するための形態】
【０００９】
本発明にかかる排紙装置の実施の形態を、図面を参照しながら説明する。
本実施の形態にかかる排紙装置は、電子写真方式の画像形成装置に設けた用紙後処理装置に組み込んだものが例示されている。
先ず、画像形成装置の画像形成にかかる本体部の概略を説明する。
本体部は、公知の電子写真方式の画像形成装置の構成と同一であり、図１に示すように、一側面の中途部が内方に向かって略コ字状に窪まった排紙部２が形成させると共に画像形成装置の外観形状を形成させ内部に各構成部を支持させる装置機枠１と、装置上部に設けられ、原稿を読み取るイメージスキャナ部３と、装置下部に設けられた給紙トレイ４と、装置中間部に設けられ、イメージスキャナ部３または外部から送信された画像データに基づいてトナー像を形成させ、そのトナー像を中間転写ベルト６に搬送させ、転写部７で用紙に転写させる画像形成手段５と、その画像形成手段５の近傍上方に設けられ、トナー像を用紙に定着させる定着装置８とを備える。
さらに、給紙トレイ４から給紙された用紙が、転写部７、定着装置８、後述する用紙後処理装置１２の順に通るように、且つ、定着装置８から転写部７へ反転して通るように、複数のガイド板や複数のローラ対、切り替え爪１１を用いた搬送路９（用紙を反転させる搬送路を反転路１０と呼称する）が形成されている。
【００１０】
このように構成された本体部は、イメージスキャナ部３または外部から送信された画像データに基づいてトナー像を形成し、そのトナー像を中間転写ベルト６で転写部７へ搬送し、給紙トレイ４から搬送してきた用紙に転写部７でトナー像を転写し、定着装置８でトナー像を溶融し用紙上に固化させて定着し、用紙後処理装置１２に向かって送り出す。用紙の裏面にも画像形成する場合、定着装置８で用紙の表面にトナー像の定着が済んだ後、用紙の先端が切り替え爪１１にかからない程度にいったん用紙を引き戻し、切り替え爪１１の向きを切り替えて用紙を反転路１０に送り込む。反転路１０を介して再度転写部７に位置した用紙に裏面に裏面用のトナー像を転写し、定着装置８でその裏面用のトナー像を溶融し用紙上に固化させて定着し、用紙後処理装置１２に向かって送り出す。
【００１１】
次に、用紙後処理装置１２を説明する。
用紙後処理装置１２は、図２に示すように、ローラ搬送部と、従動ローラ部と、駆動ローラ２０と、排紙トレイ２２と、スティプラ３０部と、用紙押さえ杆３３と、傾斜角度検知手段と、排紙角度制御部とを備え、上述した装置機枠１の排紙部２に設けられている。
ローラ搬送部は、画像形成装置の本体部から送り出された用紙を向かい入れると共に所要の長さに渡って用紙をガイドさせる上下一対のガイド板１３と、そのガイド板の入口側と出口側に駆動モータ（図示せず）で回動可能に設けられ用紙を搬送させる入口ローラ対１４及び出口ローラ対１５とを備える。
従動ローラ部は、出口ローラ対１５の出口側近傍で、且つ、出口ローラ対１５より若干上位した位置に用紙幅方向（図２、奥行き方向）に向かって装置機枠１に駆動モータ（図示せず）で回動可能に架設された回動軸１６と、その回動軸１６を基部上部に挿嵌させ、排紙方向側に向かって延出された先部を用紙の搬送路９と直交方向に揺動可能に設けられると共に、先部の下側角部が面取り状に形成された板状の排紙ガイド板１７（第１のリンク）と、その排紙ガイド板１７の中途部の下部に基部が回動可能に軸支されて用紙の搬送路９と直交方向に揺動可能な従動ローラ支持杆１８（第２のリンク）と、その従動ローラ支持杆１８の先部に回動可能に軸支させた従動ローラ１９とを備える。
【００１２】
従動ローラ１９は、所要の長さの１本とし、一対の排紙ガイド板１７及び従動ローラ支持杆１８とでその１本の従動ローラ１９を両端支持させる構成にしたり、複数の従動ローラ１９とし、夫々の従動ローラ１９に対応させた一対の排紙ガイド板１７及び従動ローラ支持杆１８とで夫々の従動ローラ１９を両端支持させる構成にしたり、あるいは上述の両端支持にかえて片持ち支持にしたりしても良く、その態様は特に限定されない。
また、上述の従動ローラ支持杆１８は、排紙ガイド板１７から突設されたピン（図示せず）により、図中、反時計回りの回動が規制されており、図４に示すような従動ローラ１９と駆動ローラ２０との離間時、従動ローラ１９の垂れ下がりを防止している。
駆動ローラ２０は、排紙部２の中途部から所要高さで立設され後述する排紙トレイ２２に積載させた用紙の後端を突き当てさせる突き当て壁２１の頂部近傍に従動ローラ１９の下側外周面と当接可能に、且つ、図示しない駆動モータで回動可能に、装置機枠１に軸支されている。また、この駆動ローラ２０は、従動ローラ１９と対応するように１本または複数本からなる。
【００１３】
この駆動ローラ２０と従動ローラ部は、図５に示すように動作する。
すなわち、配設位置が不変の駆動ローラ２０に当接した従動ローラ１９は、排紙ガイド板１７の下方向の移動により、従動ローラ支持杆１８の軸支位置が図５において右下方向に変位し、駆動ローラ２０に対し、時計回りに転動する。これにより、駆動ローラ２０に従動ローラ１９を当接して形成した排紙ニップの傾きが変わって、排紙ニップから排出中の用紙の仰俯角である排紙角度が変化する。
本実施の形態では、後述する排紙トレイ２２の可動板２５の傾斜角と排紙角度とが一致または略一致するようにして、用紙の丸まりを防止している。
排紙トレイ２２は、排紙ニップより下方となる突き当て壁２１の基端から外方に向かって上向きに斜設され、中途部から先端に向かって緩斜状に形成されると共に、中途部から先端に向かって凹部２４が形成された排紙トレイ本体２３と、その排紙トレイ本体２３の中途部に図示せぬ駆動モータで回動可能に軸支され突き当て壁２１の基端に向かって延設されると共に凹部２４に収納可能な可動板２５（積載面２６の基部側となる）とを備える。この排紙トレイ２２は、図３に示すように、駆動モータの回動により可動板２５が揺動することで、用紙を積載させる積載面２６がフラット状と略への字状とに変位可能になっている。
【００１４】
ここで、積載面２６をフラット状に形成する際の可動板２５の傾斜角度をα´（図２参照）とし、積載面２６を略への字状に形成する際の可動板２５の傾斜角度をβ´（図３参照）とする。
スティプラ３０部は、突き当て壁２１の頂部に先鋭状の先部を位置させ装置内方向かって下向きに斜設されたスティプルトレイ２７と、そのスティプルトレイ２７の基部に立設され用紙の後端を突き当てて用紙の縦幅方向を揃える後端基準フェンス２８と、スティプルトレイ２７上に用紙幅方向に接離可能に設けられ用紙の横幅方向を揃える一対のジョガーフェンス２９と、スティプルトレイ２７上の用紙束の後端を綴じ処理するスティプラ３０と、後端基準フェンス２８近傍をホームポジションにして設けられスティプルトレイ２７に向かって前進動及び後退動可能に装置機枠１に回動可能に軸支された叩きコロ３１と、従動ローラ１９の近傍をホームポジションにして設けられスティプルトレイ２７に向かって前進動及び後退動可能に装置機枠１に駆動モータ（図示せず）で回動可能に軸支された後端戻しコロ３２とを備える。
用紙押さえ杆３３は、略への字に形成され、突き当て壁２１の装置内方に基部が駆動モータ（図示せず）で回動可能に軸支されてなり、突き当て壁２１に形成した上下に延出するスリット孔３４を介して先部側が突き当て壁２１から出没可能に、且つ、排紙トレイ２２上の用紙を押さえ可能に揺動するようなっている。
【００１５】
傾斜角度検知手段は、排紙ガイド板１７の先部に取り付けた非接触式タイプの距離検知センサ３５を備え、排紙ガイド板１７を所定の角度だけ揺動し、その揺動の前後の夫々の距離を距離検知センサ３５で検知し、排紙トレイ２２の可動板２５の傾斜角度、または、排紙トレイ２２の可動板２５部分に積載した用紙の傾斜角度を算出するようになっている。また、この距離検知センサ３５は、排紙トレイ２２に積載された用紙が満杯になったか否かを検知する満杯検知用センサ、及び、排紙トレイ２２に用紙が正常に載置されているか否かを検知する積載不良検知センサと兼用させている。なお、距離検知センサ３５を排出方向に複数個設けて、排紙ガイド板１７の所定角度の揺動動作を省略しても良い。
排紙角度制御部（図示せず）は、傾斜角度検知手段で算出された排紙トレイ２２の可動板２５の傾斜角度、または、排紙トレイ２２の可動板２５部分に積載した用紙の傾斜角度に基づいて、排紙ガイド板１７を動作させて、駆動ローラ２０に従動ローラ１９を当接させて形成された排紙ニップの傾きを、用紙の丸まりが回避可能な排紙角度、すなわち、傾斜角度と同角度または近似した角度となるように制御可能に構成されており、以下の動作説明で詳述する。なお、排紙装置は、従動ローラ部と、駆動ローラ２０と、傾斜角度検知手段と、排紙角度制御部とを備えて構成される。
【００１６】
次に、以上のように構成された用紙後処理装置１２の動作を説明する。
上述したように、用紙は、定着装置８からローラ対を通過し用紙後処理装置１２へ移動する。そして、ユーザーが選択した排紙モードにしたがい、以下のように排紙トレイ２２へ排出される。
【００１７】
［ストレート排紙モードの場合］
ガイド板１３、入口ローラ対１４、出口ローラ対１５は、本体部で画像形成が済んだ用紙を向かい入れて排紙ガイド板１７の方へ送り出す。排紙ガイド板１７は、従動ローラ１９が駆動ローラ２０に当接するように下向きに位置しており、駆動ローラ２０と従動ローラ１９とが当接して形成した排紙ニップで用紙を挟持し、可動板２５の傾斜角度をα´にして積載面２６がフラット状の排紙トレイ２２に送り出す。このとき排紙角度制御部は、排紙角度αが、傾斜角度検知手段によって算出した傾斜角度α´と同じ角度となるように、排紙ニップを動作制御する。また、用紙押さえ杆３３は、その先部側が突き当て壁２１内に没して退避しており、排出の邪魔にならないようになっている（図２参照）。
【００１８】
排紙トレイ２２に用紙が排出したら、用紙押さえ杆３３が揺動して排紙トレイ２２上の用紙を押さえ、次の用紙が完全に排出する直前に、用紙押さえ杆３３が揺動して退避する。そして、排出した用紙数枚毎に、可動部がいったん下がって積載面２６を略ヘの字状にして、用紙の後端揃えを行い、退避していた用紙押さえ杆３３が揺動して用紙の後端を押えながら、積載面２６がフラット状となるように上がってくる。
排紙トレイ２２の用紙積載枚数（本体部のカウンタで画像枚数を計っている）が、所定の枚数以上になると、本体部の制御または用紙後処理装置１２の制御部により、用紙の積載面２６を略への字状に変位する。排紙角度制御部は、排紙角度βが、傾斜角度検知手段によって算出した傾斜角度β´と同じ角度となるように、排紙ニップを動作制御して排紙トレイ２２に用紙を送り出す（図３参照）。用紙押さえ杆３３は、上述したように排紙トレイ２２上の用紙の押さえ動作と退避動作を交互に繰り返す。
そして、距離検知センサ３５は、所定距離に達して積載枚数が満杯に達したことを検知し、本体部は、その検知に基づいて画像形成を中断する。また、距離検知センサ３５の検知信号が想定値より大きく外れていたり、検知信号が乱れていたりすることで、排紙トレイ２２に用紙が正常に載置されていないと判断し、本体部は、その検知に基づいて画像形成を中断する。
【００１９】
［スティプル排紙モードの場合］
ガイド板１３、入口ローラ対１４、出口ローラ対１５は、本体部で画像形成が済んだ用紙を向かい入れて排紙ガイド板１７の方へ送り出す。このとき、排紙ガイド板１７は、図４に示すように、時計回り揺動して、従動ローラ１９を駆動ローラ２０から離間している。
用紙は、その後端が出口ローラ対１５を抜け出た直後にスティプルトレイ２７に落下し滑り落ち、即座に叩きコロ３１と後端戻しコロ３２とが用紙に向かって移動し、用紙を押さえつけながら後端基準フェンス２８に用紙の後端を突き当てて縦幅揃えを行う。そして、叩きコロ３１と後端戻しコロ３２とがホームポジションに戻り、ジョガーフェンス２９により横幅揃えを行う。最終紙まで同様の動作を繰返し、最終紙がスティプルトレイ２７に積載したら、スティプラ３０が綴じ処理をする。
そして、排紙ガイド板１７が反時計回り揺動して、従動ローラ１９が駆動ローラ２０に当接し、この当接で形成した排紙ニップで用紙束を挟持し、排紙トレイ２２に送り出す。排紙ニップによる排紙角度と可動板２５の傾斜角度との関係を含めて、排紙トレイ２２への排出動作は上述のストレート排紙モードと同じであるため説明を省略する。
【００２０】
このように本実施の形態にかかる用紙後処理装置１２は、排紙ガイド板１７の下方向の移動により、従動ローラ支持杆１８の軸支位置が変位して駆動ローラ２０上に従動ローラ１９が転動し、これにより、駆動ローラ２０に従動ローラ１９を当接して形成した排紙ニップの傾きが変わって、排紙ニップから排出中の用紙の仰俯角である排紙角度が変化して、用紙丸まりが回避可能な排紙角度とすることが可能となるから、排紙トレイ２２を可動して用紙丸まりが回避可能な排紙角度とする技術手段と比較して、排紙トレイ２２と他の構成体との干渉を避けるための十分な空間が不要となり、一側面の中途部が内方に向かって略コ字状に窪まった排紙部２のような狭いスペースでも設けることができる。また、排紙角度が連続して可変可能であることから、用紙サイズを含めた様々な紙種に対応できる。
以上、本実施の形態を説明したが、上述した実施の形態は、本発明の好適な実施の形態の一例を示すものであり、本発明はそれに限定されるものではなく、その要旨を逸脱しない範囲内において、種々変形実施が可能である。
【００２１】
本実施の形態では、傾斜角度検知手段によって傾斜角度を算出し、排紙角度が傾斜角度と同じ角度となるように排紙ニップの傾きを可変させているが、動作前と動作後の可動板２５の傾斜角度は既知であるため、予め排紙ニップの傾きを動作前の可動板２５の傾斜角度にあわせておき、排紙トレイ２２の用紙積載枚数が、所定の枚数に達した際、用紙の積載面２６を略への字状に変位するタイミングにあわせて排紙ニップの傾きを可変させても良い。
また、本実施の形態では、排紙トレイを略への字状に変位可能なものを例示したが、排紙トレイ全体の傾斜角度を可変可能に構成し、その傾斜角度にあわせて排紙ニップの傾きを可変させても良い。
また、本実施の形態では、電子写真方式の画像形成装置に設けた用紙後処理装置に組み込んだ排紙装置を例示したが、電子写真方式の画像形成装置に併設するタイプの用紙後処理装置に組み込んでも良い。また、用紙後処理装置ではなく、単体の画像形成装置の排紙部に組み込んでも良い。また、画像形成装置は、インクジェット式の画像形成装置でも良いもので、電子写真方式の画像形成装置に限定されない。
【符号の説明】
【００２２】
１‥装置機枠、２‥排紙部、３‥イメージスキャナ部、４‥給紙トレイ、５‥画像形成手段、６‥中間転写ベルト、７‥転写部、８‥定着装置、９‥搬送路、１０‥反転路、１１‥切り替え爪、１２‥用紙後処理装置、１３‥ガイド板、１４‥入口ローラ対、１５‥出口ローラ対、１６‥回動軸、１７‥排紙ガイド板（第１のリンク）、１８‥従動ローラ支持杆（第２のリンク）、１９‥従動ローラ、２０‥駆動ローラ、２１‥突き当て壁、２２‥排紙トレイ、２３‥排紙トレイ本体、２４‥凹部、２５‥可動板、２６‥積載面、２７‥スティプルトレイ、２８‥後端基準フェンス、２９‥ジョガーフェンス、３０‥スティプラ、３１‥叩きコロ、３２‥後端戻しコロ、３３‥用紙押さえ杆、３４‥スリット孔、３５‥距離検知センサ
【先行技術文献】
【特許文献】
【００２３】
【特許文献１】特開平１０−３２４４４５号公報
【特許文献２】特開平１１−１６５９３５号公報
【図１】
2010275098.tif 000003
【図２】
2010275098.tif 000004
【図３】
2010275098.tif 000005
【図４】
2010275098.tif 000006
【図５】
2010275098.tif 000007